(57)【要約】【課題】浴槽底面の排水栓に装着される止水弁に入浴者の足が引っ掛かりにくい安全な浴槽の排水栓装置を提供する。【解決手段】浴槽底面の排水口に設けられる排水栓２と、排水栓を開閉する弁部４を備える止水弁３と、操作部の操作力を止水弁に伝えて開閉するレリースワイヤ６と、排水栓を浴槽底面の排水口に固定する排水ナット１３を備える浴槽の排水栓装置において、排水栓２が止水弁３により閉状態のときに、止水弁３の外端部２４が、浴槽内槽側の排水口凹部の上縁部２５と同等の高さ又は低い高さに位置するようにする。【選択図】  図１
2004238980.tif 000002
【特許請求の範囲】
【請求項１】
浴槽底面の排水口に設けられる排水栓と、排水栓を開閉する弁部を備える止水弁と、操作部の操作力を止水弁に伝えて開閉するレリースワイヤと、排水栓を浴槽底面の排水口に固定する排水ナットを備える排水栓装置であって、排水栓が前記止水弁により閉状態のときに、止水弁の外端部が、浴槽内槽側の排水口凹部の上縁部分と同等の高さ又は低い高さに位置する浴槽の排水栓装置。
【請求項２】
止水弁の外端部における底部が、水平形状である請求項１記載の浴槽の排水栓装置。
【請求項３】
止水弁が、樹脂製の止水弁本体と、この止水弁本体の上面側を覆う金属製の止水弁カバーとからなる請求項１又は請求項２記載の浴槽の排水栓装置。
【請求項４】
止水弁本体の上面に、凸部を連続させてその平面視が円形状となるように設けられ、この凸部に止水弁カバーの裏面側が当接して止水弁本体に止水弁カバーが装着されてなる請求項３記載の浴槽の排水栓装置。
【発明の詳細な説明】
【０００１】
【発明の属する技術分野】
本発明は、浴槽底面の排水口に装着された排水栓をこれとは離れた位置に設けられた操作部を操作することにより、排水栓の開閉を行う浴槽の排水栓装置に関する。
【０００２】
【従来の技術】
この種の排水栓装置として、図４乃至図６に示すように、排水栓２、止水弁３、弁支持部材９、レリースワイヤ６、排水ナット１３、操作部１０、及びその他の各部材より構成され、排水栓２は内部に排水口を形成する上面及び底面が開放された筒状形状に形成されて、その外周面にはオネジが設けられ、一方、止水弁３は、図６に示すように上記の排水口１を開閉する弁部４と、止水弁３をレリースワイヤ６に嵌合するために弁部４の中心より下方に向けて垂下されたレリースワイヤ６と固定する弁軸１８より形成されており、また、止水弁３は弁部４と弁軸１８を形成している止水弁本体２７と止水弁本体を内包する止水弁カバー２６、及び止水弁本体２７と止水弁カバー２６のシール性を確保するために、止水弁本体２７と止水弁カバー２６の間に設けたシール部材２３で構成されている。
図５中に示すレリースワイヤ６は、可撓性を備えた中空のアウターチューブと、アウターチューブの内面を軸方向に進退するインナーワイヤと、インナーワイヤの一端に備えられ、上記の止水弁３の弁軸１８下方に配置されるロッド部７と、レリースワイヤ６内の操作部１０側に、インナーワイヤを操作部１０側に付勢する戻りスプリングを備えている。
弁支持部材９は、上記の排水栓２の内部に固定され、レリースワイヤ６の進退を行うためにロット部７を固定している。
排水ナット１３は、上記排水栓２のオネジ部と螺合するメネジを備えた開口部と排水口１からの排水を下流側に排出するための排出口を備えた排出部とからなる排水ナット本体部１４と上記排出口と排出部の間に接続されるレリースワイヤ６を通すためのワイヤ接続部１５からなっている。
操作部１０は、上記レリースワイヤ６に接続され、レリースワイヤ６のインナーワイヤの進退を行うことで、排水口１を開閉させるものであって、また、インナーワイヤの進退を保持するための保持機構としてスラストロック機構を備える構成の排水栓装置が知られている（例えば、特許文献１参照）。
上記の排水栓装置には、その他の部材として、操作部１０と排水ナット１３を接続するチューブ１６を備え、また、排水栓２と排水口１及び排水ナット１３と排水口１の間にパッキンを備えている。
【０００３】
上記のように構成した排水栓は、次のように浴槽等に取付けられる。
先ず排水栓２を、排水口１を介して排水ナット１３の開口部と螺合させる。次にレリースワイヤ６の一方、ロッド部７を備えない側を操作部１０に接続し、またロッド７部側の端部を、ワイヤ接続部１５を介して排水ナット１３から排水栓２の排水口１へと導入する。更にアウターチューブの端部を弁支持部材９の軸受け部の接続部８に接続した後、排水口１内に弁支持部材９を排水栓２に固定する。この状態より、軸受け部内に止水弁３の弁軸１８を収納させてロッド部７の先端が弁軸１８の下方に配置されるようにして、排水栓の取り付けが完了する。
【０００４】
上記のように構成される排水栓を使用する場合、まず操作部１０に操作力を加えて止水弁３が排水口１を閉口した状態、即ちレリースワイヤ６のインナーワイヤが操作部１０側に後退して、ロッド部７が降下した状態とする。この状態より操作部１０に操作を加えて、インナーワイヤを弁支持部材９側に前進させると、ロッド部が上昇して弁部４の弁軸下端に当接しこれを押し上げるため、止水弁３全体が上昇して排水口１を開口すると共に、スラストロック機構によって開口状態が保持される。この状態より操作スイッチに操作を加えてスラストロック機構の保持状態を解除すると、インナーワイヤが操作部１０側に後退し、ロッド部が下降するため、ロッド部に押し上げられていた止水弁３も降下して排水口１を閉口する。以後、この操作を繰り返すことで排水口１の開閉を自在に操作することができるようになっている。
【０００５】
しかし、従来の技術で述べた排水栓装置は、図６に示したように止水弁３が、止水弁本体２７と弁本体を内包する止水弁カバー２６、及び止水弁本体２７と止水弁カバー２６とのシール性を確保するために、止水弁本体２７と止水弁カバー２６との間にシール部材２３を設ける構成としているため、弁体高さが高くなり、また、止水弁本体２７と止水弁カバー２６をかしめるため止水弁の外端部２４がテーパー形状となり、図４及び図５に示すように、止水弁の外端部２４の部分が浴槽内槽側における排水口凹部５の上縁部分２５よりも高くなって、この結果、止水弁３の外端部２４の下面側部分に入浴者の足が引っ掛かりやすく、また、入浴中に止水弁３を踏んだ場合に違和感を感じる問題があった。
【０００６】
【特許文献１】
特開２００２−８８８５３号公報（第１−７頁、図１）
【０００７】
【発明が解決しようとする課題】
本発明は、浴槽底面の排水栓に装着される止水弁に足が引っ掛かりにくく安全な浴槽の排水栓装置を提供しようとするものである。
【０００８】
【課題を解決するための手段】
本発明は、次のものに関する。
（１）浴槽底面の排水口に設けられる排水栓と、排水栓を開閉する弁部を備える止水弁と、操作部の操作力を止水弁に伝えて開閉するレリースワイヤと、排水栓を浴槽底面の排水口に固定する排水ナットを備える排水栓装置であって、排水栓が前記止水弁により閉状態のときに、止水弁の外端部が、浴槽内槽側の排水口凹部の上縁部分と同等の高さ又は低い高さに位置する浴槽の排水栓装置。
（２）止水弁の外端部における底部が、水平形状である上記（１）記載の浴槽の排水栓装置。
（３）止水弁が、樹脂製の止水弁本体と、この止水弁本体の上面側を覆う金属製の止水弁カバーとからなる上記（１）又は（２）記載の浴槽の排水栓装置。
（４）止水弁本体の上面に、凸部を連続させてその平面視が円形状となるように設けられ、この凸部に止水弁カバーの裏面側が当接して止水弁本体に止水弁カバーが装着されてなる上記（３）記載の浴槽の排水栓装置。
【０００９】
【発明の実施の形態】
本発明の排水栓装置における止水弁は、実施例の図１に示すように、排水口１を開閉する弁部４と、止水弁３をレリースワイヤ６に嵌合するために弁部４の中心より下方に向けて垂下されるレリースワイヤ６と固定する弁軸１８より形成される。
上記の止水弁３は、止水弁３による排水栓２の閉状態のときに、止水弁の外端部２４が、浴槽内槽側の排水口凹部５の上縁部分２５よりも低い高さ、又は同等の高さに位置するようにする。具体的には、止水弁３の外端部２４と浴槽内槽側の排水口凹部５の上縁部分２５との高さの差は、止水弁３の外端部２４が上縁部分２５よりも高い場合でその高さの差は２ｍｍ以下とするのが好ましく、より好ましくは１ｍｍ以下である。なお、本発明において、浴槽内槽側の排水口凹部５の上縁部分２５とは、浴槽内槽側の底面で排水口凹部５への勾配が変化する部分をいう。このような構造にすることにより、止水弁３が足に引っ掛かりにくい構造となる。
【００１０】
なお、止水弁３を樹脂製からなる止水弁本体２７と止水弁本体を内包する金属製の止水弁カバー２６とで構成する場合は、止水弁カバー２６と止水弁本体２７とのカシメ部底面は水平形状とするのが好ましい。このようにすることにより、止水弁３の外端部２４の位置を従来の止水弁よりも１〜３ｍｍ程度低くすることが可能となる。
さらに、止水弁３を樹脂製の止水弁本体２７と止水弁本体を内包する金属製の止水弁カバー２６とで構成する場合、止水弁本体２７と止水弁カバー２６のシール性を確保するために、従来のようにシール部材を設けるのではなく、止水弁本体２７の止水弁カバー２６との嵌合面に凸部を設けるようにするのが好ましい。このような構造にすることにより、止水弁カバー２６との嵌合面に凸部２９を設け、その凸部２９で、止水弁本体２７と止水弁カバー２６との間のシール性を確保することで、シール部材２３を設ける必要がなく、止水弁３の高さを低くすることが可能となる。具体的には、０．５〜１ｍｍ程度低くすることが可能となる。止水弁本体２７と止水弁カバー２６との間のシールに必要な凸部２９の寸法は、０．０５〜０．２ｍｍが好ましい。０．０５ｍｍ未満であれば、シール確保が難しくなり、０．２ｍｍを超えると、シール部材を無くした効果が少なくなる。
【００１１】
【実施例】
以下、本発明による浴槽の排水栓装置の実施例について、図１乃至図３を用いて具体的に説明する。
図１は本発明による排水栓装置の断面図、図２は図１中における止水弁の断面図、図３は止水弁における止水弁本体と止水弁カバーとの嵌合部の実施例を示す部分断面図である。
図１において、排水栓装置は、排水栓２、止水弁３、弁支持部材９、レリースワイヤ６、排水ナット１３、操作部１０、チューブ１６等により構成される。
排水栓２は、内部に排水口を形成する上面及び底面が開放された筒状形状であり、その外周面にはオネジが設けられる。また、内周面に、水平に沿って凸部を突設している。
止水弁３は、上記の排水口１を開閉する弁部４と、止水弁３をレリースワイヤ６に嵌合するために弁部４の中心より下方に向けて垂下されたレリースワイヤ６と固定する弁軸１８より形成される。
さらに、止水弁３は、樹脂製の止水弁本体２７と止水弁本体を内包する金属製の止水弁カバー２６とで構成した。樹脂製の止水弁本体２７はＰＯＭ（ポリアセタール樹脂）を用い、金属製の止水弁カバー２６は、ＳＵＳ３０４材（ステンレス材）を用いて形成した。
止水弁本体２７には、図３に示すように、止水弁カバー２６との嵌合面に約０．０５ｍｍの凸部２９を円周上に設け、その凸部２９で、止水弁本体２７と止水弁カバー２６との間のシールを確保した。
さらに、止水弁本体２７と止水弁カバー２６とカシメ部底面２８が水平形状となるようにした。これにより、止水弁高さが、従来よりも、１ｍｍ低くなった。また、止水弁の外端部２４が、浴槽内槽側の排水口凹部５の上縁部分２５よりも、１ｍｍ低くなった。
【００１２】
レリースワイヤ６は、可撓性を備えた中空のアウターチューブと、アウターチューブの内面を軸方向に進退するインナーワイヤと、インナーワイヤの一端に備えられ、上記止水弁３の弁軸１８下方に配置されるロッド部７と、レリースワイヤ６内の操作部１０側に、インナーワイヤを操作部１０側に付勢する戻りスプリングを備えている。
弁支持部材９は、上記排水栓２の内面に設けた凸部と係合する係合爪１１を下部に設けた円筒状のリング部と前記リング部から素の中心に向かって延出されたアーム部１２と、アーム部１２の中心部にアーム部１２と一体的に設けたレリースワイヤ６の端部のロット部７を接続する接続部８を備えている。
排水ナット１３は、上記排水栓２のオネジ部と螺合するメネジを備えた開口部と排水口１からの排水を下流側に排出するための排出口を備えた排出部とからなる本体部１４と上記排出口と排出部の間に接続されるレリースワイヤ６を通すためのワイヤ接続部１５からなっている。
操作部１０は、上記レリースワイヤ６に接続され、上記レリースワイヤ６のインナーワイヤの進退を行うことで、排水口１を開閉させるものであって、またインナーワイヤの進退を保持するための保持機構として、スラストロック機構を備えている。
チューブ１６は、塩ビ製のホースを用いた。
排水栓２と排水口１および排水ナット１３と排水口１の間にはパッキンを備えている。
【００１３】
上記のように構成した排水栓は、次のように浴槽等に取付けられる。まず排水栓２を、排水口１を介して排水ナット１３の開口部と螺合させる。排水栓２と排水口１および、排水ナット１３と排水口１の間にはパッキンを備えておく。
次に操作部１０を浴槽上面に固定し、排水ナット１３のワイヤ接続部１５と操作部１０を塩ビ製のホースで接続する。次にレリースワイヤ６の一方、ロッド部７を備えない側を操作部１０に接続し、またロッド部側の端部を、ワイヤ接続部１５を介して排水ナット１３から排水栓２の排水口へと導入する。更にアウターチューブの端部を弁支持部材９の軸受け部の接続部８に接続した後、排水口１内に弁支持部材９を、リング部の外周が排水栓２の内周面に当接するように挿入し、更に排水栓２の凸部に係合爪１１を係合させて排水栓２に弁支持部材９を固定する。この状態より、軸受け部内に止水弁３の弁軸を収納させてロッド部７の先端が弁軸の下方に配置されるようにして、排水栓の取り付けが完了する。
上記のように構成した排水栓を使用する場合は、まず操作部１０に操作力を加えて止水弁３が排水口１を閉口した状態、即ちレリースワイヤ６のインナーワイヤが操作部１０側に後退して、ロッド部７が降下した状態とする。この状態より操作部１０に操作を加えて、インナーワイヤを弁支持部材９側に前進させると、ロッド部７が上昇して弁部４の弁軸１８下端に当接しこれを押し上げるため、止水弁３全体が上昇して排水口１を開口すると共に、スラストロック機構によって開口状態が保持される。この状態より操作スイッチに操作を加えてスラストロック機構の保持状態を解除すると、インナーワイヤが操作部１０側に後退し、ロッド部７が下降するため、ロッド部７に押し上げられていた止水弁３も降下して排水口１を閉口する。以後、この操作を繰り返すことで排水口１の開閉を自在に操作することができる。
【００１４】
【発明の効果】
以上説明したように、本発明による浴槽の排水栓装置は、排水栓が止水弁により閉状態のときに、止水弁の外端部が、浴槽内槽側の排水口凹部の上縁部分と同等の高さ又は低い高さに位置するため、止水弁に足が引っ掛かりにくくより安全な構造となる。
【図面の簡単な説明】
【図１】本発明の実施例による排水栓装置の断面図である。
【図２】図１中における止水弁の断面図である。
【図３】止水弁における止水弁本体と止水弁カバーとの嵌合部分の実施例を示す部分断面図である。
【図４】従来例による排水栓装置の断面図である。
【図５】図４に示す排水栓装置の要部断面図である。
【図６】従来例による排水栓装置の止水弁を示す説明断面図である。
【符号の説明】
１  排水口                              ２  排水栓
３  止水弁                              ４  弁部
５  排水口凹部                          ６  レリースワイヤ
７  ロット部                            ８  接続部
９  弁支持部材                        １０  操作部
１１  係合爪                            １２  アーム部
１３  排水ナット                        １４  排水ナット本体
１５  ワイヤ接続部                      １６  チューブ
１７  チューブ接続フランジ              １８  弁軸
１９  排水口底面                        ２０  床面
２１  排水ナットの排水口                ２２  浴槽底面
２３  シール部材                        ２４  止水弁の外端部
２５  排水口凹部の上縁部分              ２６  止水弁カバー
２７  止水弁本体                        ２８  カシメ部底面
２９  凸部
【図１】
2004238980.tif 000003
【図２】
2004238980.tif 000004
【図３】
2004238980.tif 000005
【図４】
2004238980.tif 000006
【図５】
2004238980.tif 000007
【図６】
2004238980.tif 000008